【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
キャリア上で基準信号リソースの第１のセットおよび基準信号リソースの第２のセットを送信することと、基準信号リソースの前記第１のセットは、第１のキャリアタイプに関連付けられ、基準信号リソースの前記第２のセットは、第２のキャリアタイプに関連付けられ、
第２のキャリアタイプのＵＥとの、基準信号リソースの前記第２のセットをサポートするためのシグナリングを維持する間に、少なくとも１つの第１のキャリアタイプのＵＥに基準信号リソースの前記第１のセットのサポートをシグナリングすることと、
を備える、方法。
【請求項２】
基準信号リソースの前記第１のセットの前記サポートをシグナリングすることは、
基準信号リソースの前記第１のセットおよび基準信号リソースの前記第２のセットに関して同じプライマリ同期信号（ＰＳＳ）ロケーションを定義することと、
基準信号リソースの前記第１のセットに関してセカンダリ同期信号（ＳＳＳ）を定義することと、
基準信号リソースの前記第２のセットのために前記ＳＳＳを複製することと、
を備える、請求項１に記載の方法。
【請求項３】
前記ＰＳＳおよび前記ＳＳＳの２つのセットは、同じ物理セル識別子（ＰＣＩ）にマッピングされる、請求項２に記載の方法。
【請求項４】
基準信号リソースの前記第１のセットに関する前記ＰＳＳおよび前記ＳＳＳの第１のセットは、第１の物理セル識別子（ＰＣＩ）にマッピングされ、基準信号リソースの前記第２のセットに関する前記ＰＳＳおよび前記ＳＳＳの第２のセットは、第２のＰＣＩにマッピングされる、請求項２に記載の方法。
【請求項５】
基準信号リソースの前記第１のセットの前記サポートをシグナリングすることは、基準信号リソースの前記第１のセットのサポートを示すために、マスタ情報ブロック（ＭＩＢ）またはシステム情報ブロック（ＳＩＢ）においてリザーブされたビットをシグナリングすることを備える、請求項１に記載の方法。
【請求項６】
前記第１のキャリアタイプは、新たなキャリアタイプであり、前記第２のキャリアタイプは、レガシキャリアタイプである、請求項１に記載の方法。
【請求項７】
基準信号リソースの前記第１のセットおよび基準信号リソースの前記第２のセットは、直交サブフレームまたはサブバンドを備える、請求項１に記載の方法。
【請求項８】
ワイヤレス通信の方法であって、
キャリア上で基準信号リソースの第１のセットおよび基準信号リソースの第２のセットを受信することと、基準信号リソースの前記第１のセットは、第１のキャリアタイプに関連付けられ、基準信号リソースの前記第２のセットは、第２のキャリアタイプに関連付けられ、
ｅノードＢが、少なくとも、基準信号リソースの前記第１のセット、基準信号リソースの前記第２のセット、またはそれらの組み合わせ、をサポートするかどうかを決定することと、
を備える、方法。
【請求項９】
前記決定することは、前記ｅノードＢが基準信号リソースの前記第１のセットをサポートするか、基準信号リソースの前記第２のセットをサポートするかを決定するために、物理ブロードキャストチャネル（ＰＢＣＨ）のための候補をブラインド復号することを備える、請求項８に記載の方法。
【請求項１０】
基準信号リソースの前記第１のセットは、新たなＰＢＣＨフォーマットから決定される、請求項９に記載の方法。
【請求項１１】
前記決定することは、前記ＰＢＣＨのための共通基準信号（ＣＲＳ）ポートに基づいて、前記ｅノードＢが基準信号リソースの前記第１のセットまたは基準信号リソースの前記第２のセットをサポートすることを決定することを備える、請求項９に記載の方法。
【請求項１２】
基準信号リソースの前記第１のセット、基準信号リソースの前記第２のセット、またはそれらの組み合わせ、のうちの１つまたは複数から基準信号受信電力を報告することをさらに備え、ここにおいて、前記決定することは、前記基準信号受信電力が基準信号リソースの前記第１のセットおよび基準信号リソースの前記第２のセットの両方に関して報告されるとき、基準信号リソースの前記第１のセットに関する割り当てを受信することをさらに備える、請求項８に記載の方法。
【請求項１３】
基準信号リソースの前記第１のセットのサポートを示すために、ランダムアクセスチャネル（ＲＡＣＨ）メッセージを送信することをさらに備える、請求項８に記載の方法。
【請求項１４】
前記第１のキャリアタイプは、新たなキャリアタイプであり、前記第２のキャリアタイプは、レガシキャリアタイプである、請求項８に記載の方法。
【請求項１５】
ワイヤレス通信のための装置であって、
メモリと、
前記メモリに結合された少なくとも１つのプロセッサと、
を備え、前記少なくとも１つのプロセッサは、
キャリア上で基準信号リソースの第１のセットおよび基準信号の第２のセットを送信し、基準信号リソースの前記第１のセットは、第１のキャリアタイプに関連付けられ、基準信号の前記第２のセットは、第２のキャリアタイプに関連付けられ、
第２のキャリアタイプのＵＥとの、基準信号リソースの前記第２のセットをサポートするためのシグナリングを維持する間に、少なくとも１つの第１のキャリアタイプのＵＥに基準信号リソースの前記第１のセットのサポートをシグナリングする、
ように構成される、装置。
【請求項１６】
前記少なくとも１つのプロセッサは、
基準信号リソースの前記第１のセットおよび基準信号リソースの前記第２のセットに関して同じプライマリ同期信号（ＰＳＳ）ロケーションを定義し、
基準信号リソースの前記第１のセットに関してセカンダリ同期信号（ＳＳＳ）を定義し、
基準信号リソースの前記第２のセットのために前記ＳＳＳを複製する、
ようにさらに構成される、請求項１５に記載の装置。
【請求項１７】
前記ＰＳＳおよび前記ＳＳＳの２つのセットは、同じ物理セル識別子（ＰＣＩ）にマッピングされる、請求項１６に記載の装置。
【請求項１８】
基準信号リソースの前記第１のセットに関する前記ＰＳＳおよび前記ＳＳＳの第１のセットは、第１の物理セル識別子（ＰＣＩ）にマッピングされ、基準信号リソースの前記第２のセットに関する前記ＰＳＳおよび前記ＳＳＳの第２のセットは、第２のＰＣＩにマッピングされる、請求項１６に記載の装置。
【請求項１９】
前記少なくとも１つのプロセッサは、基準信号リソースの前記第１のセットのサポートを示すために、マスタ情報ブロック（ＭＩＢ）またはシステム情報ブロック（ＳＩＢ）においてリザーブされたビットをシグナリングするようにさらに構成される、請求項１５に記載の装置。
【請求項２０】
前記第１のキャリアタイプは、新たなキャリアタイプであり、前記第２のキャリアタイプは、レガシキャリアタイプである、請求項１５に記載の装置。
【請求項２１】
基準信号リソースの前記第１のセットおよび基準信号リソースの前記第２のセットは、直交サブフレームまたはサブバンドを備える、請求項１５に記載の装置。
【請求項２２】
ワイヤレス通信のための装置であって、
メモリと、
前記メモリに結合された少なくとも１つのプロセッサと、
を備え、前記少なくとも１つのプロセッサは、
キャリア上で基準信号リソースの第１のセットおよび基準信号リソースの第２のセットを受信し、基準信号リソースの前記第１のセットは、第１のキャリアタイプに関連付けられ、基準信号リソースの前記第２のセットは、第２のキャリアタイプに関連付けられ、
ｅノードＢが、少なくとも、基準信号リソースの前記第１のセット、基準信号リソースの前記第２のセット、またはそれらの組み合わせ、をサポートするかどうかを決定する、
ように構成される、装置。
【請求項２３】
前記少なくとも１つのプロセッサは、前記ｅノードＢが基準信号リソースの前記第１のセットをサポートするか、基準信号リソースの前記第２のセットをサポートするかを決定するために、物理ブロードキャストチャネル（ＰＢＣＨ）のための候補をブラインド復号するようにさらに構成される、請求項２２に記載の装置。
【請求項２４】
基準信号リソースの前記第１のセットは、新たなＰＢＣＨフォーマットから決定される、請求項２３に記載の装置。
【請求項２５】
前記少なくとも１つのプロセッサは、前記ＰＢＣＨのための共通基準信号（ＣＲＳ）ポートに基づいて、前記ｅノードＢが基準信号リソースの前記第１のセットまたは基準信号リソースの前記第２のセットをサポートすることを決定するようにさらに構成される、請求項２３に記載の装置。
【請求項２６】
前記少なくとも１つのプロセッサは、
基準信号リソースの前記第１のセット、基準信号リソースの前記第２のセット、またはそれらの組み合わせ、のうちの１つまたは複数から基準信号受信電力を報告し、
前記基準信号受信電力が基準信号リソースの前記第１のセットおよび基準信号リソースの前記第２のセットの両方に関して報告されるとき、基準信号リソースの前記第１のセットに関する割り当てを受信する、
ようにさらに構成される、請求項２２に記載の装置。
【請求項２７】
前記少なくとも１つのプロセッサは、基準信号リソースの前記第１のセットのサポートを示すために、ランダムアクセスチャネル（ＲＡＣＨ）メッセージを送信するようにさらに構成される、請求項２２に記載の装置。
【請求項２８】
前記第１のキャリアタイプは、新たなキャリアタイプであり、前記第２のキャリアタイプは、レガシキャリアタイプである、請求項２２に記載の装置。
【請求項２９】
ワイヤレス通信のための装置であって、
キャリア上で基準信号リソースの第１のセットおよび基準信号リソースの第２のセットを送信するための送信モジュールと、基準信号リソースの前記第１のセットは、第１のキャリアタイプに関連付けられ、基準信号リソースの前記第２のセットは、第２のキャリアタイプに関連付けられ、
第２のキャリアタイプのＵＥとの、基準信号リソースの前記第２のセットをサポートするためのシグナリングを維持する間に、少なくとも１つの第１のキャリアタイプのＵＥに基準信号リソースの前記第１のセットのサポートをシグナリングするためのシグナリングモジュールと、
を備える、装置。
【請求項３０】
ワイヤレス通信のための装置であって、
キャリア上で基準信号リソースの第１のセットおよび基準信号リソースの第２のセットを受信するための受信モジュールと、基準信号リソースの前記第１のセットは、第１のキャリアタイプに関連付けられ、基準信号リソースの前記第２のセットは、第２のキャリアタイプに関連付けられ、
ｅノードＢが、少なくとも、基準信号リソースの前記第１のセット、基準信号リソースの前記第２のセット、またはそれらの組み合わせ、をサポートするかどうかを決定するための決定モジュールと、
を備える、装置。
【請求項３１】
プログラムコードを記録した非トランジトリなコンピュータ可読媒体であって、前記プログラムコードは、
キャリア上で基準信号リソースの第１のセットおよび基準信号リソースの第２のセットを送信するためのプログラムコードと、基準信号リソースの前記第１のセットは、第１のキャリアタイプに関連付けられ、基準信号リソースの前記第２のセットは、第２のキャリアタイプに関連付けられ、
第２のキャリアタイプのＵＥとの、基準信号リソースの前記第２のセットをサポートするためのシグナリングを維持する間に、少なくとも１つの第１のキャリアタイプのＵＥに基準信号リソースの前記第１のセットのサポートをシグナリングするためのプログラムコードと、
を備える、非トランジトリなコンピュータ可読媒体。
【請求項３２】
プログラムコードを記録した非トランジトリなコンピュータ可読媒体であって、前記プログラムコードは、
キャリア上で基準信号リソースの第１のセットおよび基準信号リソースの第２のセットを受信するためのプログラムコードと、基準信号リソースの前記第１のセットは、第１のキャリアタイプに関連付けられ、基準信号リソースの前記第２のセットは、第２のキャリアタイプに関連付けられ、
ｅノードＢが、少なくとも、基準信号リソースの前記第１のセット、基準信号リソースの前記第２のセット、またはそれらの組み合わせ、をサポートするかどうかを決定するためのプログラムコードと、
を備える、非トランジトリなコンピュータ可読媒体。
【手続補正２】
【補正対象書類名】明細書
【補正対象項目名】０１４０
【補正方法】変更
【補正の内容】
【０１４０】
[00159] 本開示の先の説明は、いずれの当業者も本開示を製造または使用することをできるようにするために提供されている。本開示に対する様々な修正は、当業者に容易に明らかであり、ここで定義された包括的な原理は、本開示の精神または範囲から逸脱せずに、他のバリエーションに適用されることができる。よって、本開示は、本明細書において説明される例および設計に限定されるように意図されたものではなく、本明細書において開示された原理および新規の特徴と一致する最大範囲を与えられるべきである。
以下に、本願出願の当初の特許請求の範囲に記載された発明を付記する。
［Ｃ１］ワイヤレス通信の方法であって、
キャリア上でリソースを送信することと、前記リソースは、第１のキャリアタイプに関連付けられたリソースの第１のセット、および第２のキャリアタイプに関連付けられたリソースの第２のセットを備える、
第２のキャリアタイプのＵＥとのシグナリングを維持する間に、少なくとも第１のキャリアタイプのＵＥに前記第１のキャリアタイプのサポートをシグナリングすることと、
を備える、方法。
［Ｃ２］前記シグナリングすることは、
前記第１のキャリアタイプおよび前記第２のキャリアタイプに対して同じプライマリ同期信号（ＰＳＳ）ロケーションを定義することと、
前記第１のキャリアタイプに関してセカンダリ同期信号（ＳＳＳ）を定義することと、
前記第２のキャリアタイプのために前記ＳＳＳを複製することと、
を備える、Ｃ１に記載の方法。
［Ｃ３］前記ＰＳＳおよび前記ＳＳＳの２つのセットは、同じ物理セル識別子（ＰＣＩ）にマッピングされる、Ｃ２に記載の方法。
［Ｃ４］前記第１のキャリアタイプに関する前記ＰＳＳおよび前記ＳＳＳの第１のセットは、第１の物理セル識別子（ＰＣＩ）にマッピングされ、前記第２のキャリアタイプに関する前記ＰＳＳおよび前記ＳＳＳの第２のセットは、第２のＰＣＩにマッピングされる、Ｃ２に記載の方法。
［Ｃ５］前記シグナリングすることは、前記第１のキャリアタイプのサポートを示すために、マスタ情報ブロック（ＭＩＢ）またはシステム情報ブロック（ＳＩＢ）においてリザーブされたビットをシグナリングすることを備える、Ｃ１に記載の方法。
［Ｃ６］前記第１のキャリアタイプは、新たなキャリアタイプであり、前記第２のキャリアタイプは、レガシキャリアタイプである、Ｃ１に記載の方法。
［Ｃ７］リソースの前記第１のセットおよびリソースの前記第２のセットは、直交サブフレームまたはサブバンドを備える、Ｃ１に記載の方法。
［Ｃ８］ワイヤレス通信の方法であって、
キャリア上でリソースを受信することと、前記リソースは、第１のキャリアタイプに関連付けられたリソースの第１のセット、および第２のキャリアタイプに関連付けられたリソースの第２のセットを備える、
ｅノードＢが前記第１のキャリアタイプ、前記第２のキャリアタイプ、またはそれらの組み合わせ、のうちの１つまたは複数をサポートするかどうかを決定することと、
を備える、方法。
［Ｃ９］前記決定することは、前記ｅノードＢが前記第１のキャリアタイプをサポートするか、前記第２のキャリアタイプをサポートするかを決定するために、物理ブロードキャストチャネル（ＰＢＣＨ）のための候補をブラインド復号することを備える、Ｃ８に記載の方法。
［Ｃ１０］前記第１のキャリアタイプは、新たなＰＢＣＨフォーマットから決定される、Ｃ９に記載の方法。
［Ｃ１１］前記決定することは、前記ＰＢＣＨのための共通基準信号（ＣＲＳ）ポートに基づいて、前記ｅノードＢが前記第１のキャリアタイプまたは前記第２のキャリアタイプをサポートすることを決定することを備える、Ｃ９に記載の方法。
［Ｃ１２］前記第１のキャリアタイプ、前記第２のキャリアタイプ、またはそれらの組み合わせ、のうちの１つまたは複数から基準信号受信電力を報告することをさらに備え、ここにおいて、前記決定することは、前記基準信号受信電力が前記第１のキャリアタイプおよび前記第２のキャリアタイプの両方に関して報告されるとき、前記第１のキャリアタイプに関する割り当てを受信することをさらに備える、Ｃ８に記載の方法。
［Ｃ１３］前記第１のキャリアタイプのサポートを示すために、ランダムアクセスチャネル（ＲＡＣＨ）メッセージを送信することをさらに備える、Ｃ８に記載の方法。
［Ｃ１４］前記第１のキャリアタイプは、新たなキャリアタイプであり、前記第２のキャリアタイプは、レガシキャリアタイプである、Ｃ８に記載の方法。
［Ｃ１５］ワイヤレス通信のための装置であって、
メモリと、
前記メモリに結合された少なくとも１つのプロセッサと、
を備え、前記少なくとも１つのプロセッサは、
キャリア上でリソースを送信し、前記リソースは、第１のキャリアタイプに関連付けられたリソースの第１のセット、および第２のキャリアタイプに関連付けられたリソースの第２のセットを備える、
第２のキャリアタイプのＵＥとのシグナリングを維持する間に、少なくとも第１のキャリアタイプのＵＥに前記第１のキャリアタイプのサポートをシグナリングする、
ように構成される、装置。
［Ｃ１６］前記少なくとも１つのプロセッサは、
前記第１のキャリアタイプおよび前記第２のキャリアタイプに対して同じプライマリ同期信号（ＰＳＳ）ロケーションを定義し、
前記第１のキャリアタイプに関してセカンダリ同期信号（ＳＳＳ）を定義し、
前記第２のキャリアタイプのために前記ＳＳＳを複製する、
ようにさらに構成される、Ｃ１５に記載の装置。
［Ｃ１７］前記ＰＳＳおよび前記ＳＳＳの２つのセットは、同じ物理セル識別子（ＰＣＩ）にマッピングされる、Ｃ１６に記載の装置。
［Ｃ１８］前記第１のキャリアタイプに関する前記ＰＳＳおよび前記ＳＳＳの第１のセットは、第１の物理セル識別子（ＰＣＩ）にマッピングされ、前記第２のキャリアタイプに関する前記ＰＳＳおよび前記ＳＳＳの第２のセットは、第２のＰＣＩにマッピングされる、Ｃ１６に記載の装置。
［Ｃ１９］前記少なくとも１つのプロセッサは、前記第１のキャリアタイプのサポートを示すために、マスタ情報ブロック（ＭＩＢ）またはシステム情報ブロック（ＳＩＢ）においてリザーブされたビットをシグナリングするようにさらに構成される、Ｃ１５に記載の装置。
［Ｃ２０］前記第１のキャリアタイプは、新たなキャリアタイプであり、前記第２のキャリアタイプは、レガシキャリアタイプである、Ｃ１５に記載の装置。
［Ｃ２１］リソースの前記第１のセットおよびリソースの前記第２のセットは、直交サブフレームまたはサブバンドを備える、Ｃ１５に記載の装置。
［Ｃ２２］ワイヤレス通信のための装置であって、
メモリと、
前記メモリに結合された少なくとも１つのプロセッサと、
を備え、前記少なくとも１つのプロセッサは、
キャリア上でリソースを受信し、前記リソースは、第１のキャリアタイプに関連付けられたリソースの第１のセット、および第２のキャリアタイプに関連付けられたリソースの第２のセットを備える、
ｅノードＢが前記第１のキャリアタイプ、前記第２のキャリアタイプ、またはそれらの組み合わせ、のうちの１つまたは複数をサポートするかどうかを決定する、
ように構成される、装置。
［Ｃ２３］前記少なくとも１つのプロセッサは、前記ｅノードＢが前記第１のキャリアタイプをサポートするか前記第２のキャリアタイプをサポートするかを決定するために、物理ブロードキャストチャネル（ＰＢＣＨ）のための候補をブラインド復号するようにさらに構成される、Ｃ２２に記載の装置。
［Ｃ２４］前記第１のキャリアタイプは、新たなＰＢＣＨフォーマットから決定される、Ｃ２３に記載の装置。
［Ｃ２５］前記少なくとも１つのプロセッサは、前記ＰＢＣＨのための共通基準信号（ＣＲＳ）ポートに基づいて、前記ｅノードＢが前記第１のキャリアタイプまたは前記第２のキャリアタイプをサポートすることを決定するようにさらに構成される、Ｃ２３に記載の装置。
［Ｃ２６］前記少なくとも１つのプロセッサは、
前記第１のキャリアタイプ、前記第２のキャリアタイプ、またはそれらの組み合わせ、のうちの１つまたは複数から基準信号受信電力を報告し、
前記基準信号受信電力が前記第１のキャリアタイプおよび前記第２のキャリアタイプの両方に関して報告されるとき、前記第１のキャリアタイプに関する割り当てを受信する、
ようにさらに構成される、Ｃ２２に記載の装置。
［Ｃ２７］前記少なくとも１つのプロセッサは、前記第１のキャリアタイプのサポートを示すために、ランダムアクセスチャネル（ＲＡＣＨ）メッセージを送信するようにさらに構成される、Ｃ２２に記載の装置。
［Ｃ２８］前記第１のキャリアタイプは、新たなキャリアタイプであり、前記第２のキャリアタイプは、レガシキャリアタイプである、Ｃ２２に記載の装置。
［Ｃ２９］ワイヤレス通信のための装置であって、
キャリア上でリソースを送信するための手段と、前記リソースは、第１のキャリアタイプに関連付けられたリソースの第１のセット、および第２のキャリアタイプに関連付けられたリソースの第２のセットを備える、
第２のキャリアタイプのＵＥとのシグナリングを維持する間に、少なくとも第１のキャリアタイプのＵＥに前記第１のキャリアタイプのサポートをシグナリングするための手段と、
を備える、装置。
［Ｃ３０］ワイヤレス通信のための装置であって、
キャリア上でリソースを受信するための手段と、前記リソースは、第１のキャリアタイプに関連付けられたリソースの第１のセット、および第２のキャリアタイプに関連付けられたリソースの第２のセットを備える、
ｅノードＢが前記第１のキャリアタイプ、前記第２のキャリアタイプ、またはそれらの組み合わせ、のうちの１つまたは複数をサポートするかどうかを決定するための手段と、
を備える、装置。
［Ｃ３１］ワイヤレス通信のためのコンピュータプログラム製品であって、前記コンピュータプログラム製品は、
プログラムコードを記録した非トランジトリなコンピュータ可読媒体を備え、前記プログラムコードは、
キャリア上でリソースを送信するためのプログラムコードと、前記リソースは、第１のキャリアタイプに関連付けられたリソースの第１のセット、および第２のキャリアタイプに関連付けられたリソースの第２のセットを備える、
第２のキャリアタイプのＵＥとのシグナリングを維持する間に、少なくとも第１のキャリアタイプのＵＥに前記第１のキャリアタイプのサポートをシグナリングするためのプログラムコードと、
を備える、コンピュータプログラム製品。
［Ｃ３２］ワイヤレス通信のためのコンピュータプログラム製品であって、前記コンピュータプログラム製品は、
プログラムコードを記録した非トランジトリなコンピュータ可読媒体を備え、前記プログラムコードは、
キャリア上でリソースを受信するためのプログラムコードと、前記リソースは、第１のキャリアタイプに関連付けられたリソースの第１のセット、および第２のキャリアタイプに関連付けられたリソースの第２のセットを備える、
ｅノードＢが前記第１のキャリアタイプ、前記第２のキャリアタイプ、またはそれらの組み合わせ、のうちの１つまたは複数をサポートするかどうかを決定するためのプログラムコードと、
を備える、コンピュータプログラム製品。